(57)【特許請求の範囲】
【請求項１】
表示素子が配置された映像表示モジュール（１０００〜１００４）と、
前記映像表示モジュール（１０００〜１００４）が固定されるべき筐体フレーム（５）と、
前記映像表示モジュール（１０００〜１００４）が前記筐体フレーム（５）に仮固定されている状態で、前記映像表示モジュール（１０００〜１００４）の前後方向の位置を調整する調整部と、
前記筐体フレーム（５）に仮固定されている前記映像表示モジュール（１０００〜１００４）を前記筐体フレーム（５）に固定する固定部と、を備え、
前記調整部は、前記映像表示モジュール（１０００〜１００４）側に形成された非ねじ形状部（２１）と、前記筐体フレーム（５）に螺合されるねじ形状部（２２）と、前記非ねじ形状部（２１）における前記映像表示モジュール（１０００〜１００４）側の端部に配置されかつ回転方向に異なる複数の磁極を持つ第１磁石（２４）とを有する調整ねじ（２０）を含み、
前記固定部は前記映像表示モジュール（１０００〜１００４）に固定され、
前記固定部は、前記調整ねじ（２０）の前記非ねじ形状部（２１）が挿通する貫通孔（１３，２１３）と前記貫通孔（１３，２１３）の内径を小さくするように閉じることで前記非ねじ形状部（２１）が前記貫通孔（１３，２１３）に締め付けられるスリット（１７，２１５）とを有する円筒形状部（１２，２１２）と、前記スリット（１７，２１５）を閉じて前記調整ねじ（２０）の前後方向の位置を固定する固定ねじ（１１，２１１）とを含み、
前記調整部は前記固定部と同軸上に配置された、映像表示装置（１００〜１０６）。
【請求項２】
前記固定ねじ（１１）は、ねじ部（１１２）と、頭部（１１１）と、前記頭部（１１１）に配置されかつ前記固定ねじ（１１）の回転方向に異なる複数の磁極を持つ第２磁石（１１１ａ）とを有し、
前記固定ねじ（１１）は、前記固定ねじ（１１）の回転軸が前記調整ねじ（２０）の回転軸と同軸でなく、前記第２磁石（１１１ａ）により発生する磁力が前記第１磁石（２４）に影響しない距離となるように、前記調整ねじ（２０）の回転軸に対して傾斜角度をつけた傾斜軸となるように配置された、請求項１に記載の映像表示装置（１００〜１０６）。
【請求項３】
第３磁石（９２）を有する調整用ツール（９０）をさらに備え、
前記調整ねじ（２０）は、前記第１磁石（２４）の磁力により前記映像表示モジュール（１０００〜１００４）の背面に当接し、
前記調整用ツール（９０）が前記映像表示モジュール（１０００〜１００４）の表示面に当接した状態で、前記第３磁石（９２）の磁力により前記第１磁石（２４）が前記第３磁石（９２）に吸着され、前記第３磁石（９２）が回転することで前記調整ねじ（２０）が回転し、前記映像表示モジュール（１０００〜１００４）と前記筐体フレーム（５）との間の距離が調整される、請求項１に記載の映像表示装置（１００〜１０６）。
【請求項４】
第４磁石（８２）を有する固定用ツール（８０）をさらに備え、
前記固定部は、前記スリット（１７）を開いた状態で前記調整ねじ（２０）を仮固定し、
前記固定用ツール（８０）が前記映像表示モジュール（１０００〜１００４）の表示面に当接した状態で、前記第４磁石（８２）の磁力により前記固定ねじ（１１）の前記第２磁石（１１１ａ）が前記第４磁石（８２）に吸着され、前記第４磁石（８２）が回転することで前記固定ねじ（１１）が回転し、前記スリット（１７）が閉じることで前記調整ねじ（２０）の前後方向の位置が固定される、請求項２に記載の映像表示装置（１００〜１０６）。
【請求項５】
第５磁石（２８２）を有する固定用ツール（２８０）をさらに備え、
前記固定ねじ（２１１）は、ねじ部（２１７）と、頭部（２１６）と、前記頭部（２１６）に配置されかつ前記固定ねじ（２１１）の回転軸を中心とした螺旋状に異なる複数の磁極を持つ第６磁石（２１６ａ）とを有し、
前記固定部は、前記第６磁石（２１６ａ）により発生する磁力が前記第１磁石（２４）に影響しない距離となるように、前記固定ねじ（２１１）の回転軸が前記調整ねじ（２０）の回転軸と直交するように配置され、
前記固定部は、前記スリット（２１５）を開いた状態で前記調整ねじ（２０）を仮固定し、
前記固定用ツール（２８０）が前記映像表示モジュール（１０００〜１００４）の表示面に当接した状態で、前記第５磁石（２８２）の磁力により前記固定ねじ（２１１）の前記第６磁石（２１６ａ）が前記第５磁石（２８２）に吸着され、前記第５磁石（２８２）が回転することで前記固定ねじ（２１１）が回転し、前記スリット（２１５）が閉じることで前記調整ねじ（２０）の前後方向の位置が固定される、請求項１に記載の映像表示装置（１００〜１０６）。
【請求項６】
請求項１から請求項５のいずれか１項に記載の映像表示装置（１００〜１０６）を複数組み合わせた、マルチディスプレイシステム（２００）。
【発明の詳細な説明】
【技術分野】
【０００１】
本発明は、マルチディスプレイシステムが備える映像表示装置の表示モジュールの表示面間の段差調整に関するものである。
【背景技術】
【０００２】
ＬＥＤ（Light Emitting Diode）などの表示素子を複数配置した映像表示装置にて大画面を構成したマルチディスプレイシステムは、表示素子の性能向上と低コスト化により、屋外および屋内の広告表示等に多く使用されている。このような映像表示装置を備えるマルチディスプレイシステムは、これまで自然画像およびアニメーションの動画像の表示等に用いられるようになった。さらに、小型化された表示素子を高密度に配置して、画素ピッチを一層狭ピッチ化することにより視認距離が短くなる。そのため、複数の映像表示装置を備えるマルチディスプレイシステムは、会議室および監視用途などの情報処理装置の出力画像表示用にも使用されてきた。特に、監視用途においては、静止画に近い画像を表示することが多くなっている。【０００３】
また、複数の映像表示装置を備えるマルチディスプレイシステムでは、セラミックまたは樹脂などで成型されたキャビティの内部にＬＥＤ表示素子を実装し、これを封止樹脂で固めることで形成された小型のＬＥＤ表示モジュールを基板に実装したＳＭＤ（Surface Mount Device：表面実装部品）型の映像表示装置を用いることが主流である。【０００４】
これまでのＳＭＤ型の映像表示装置は、画素ピッチが３ｍｍ以上あり、主に屋外または商業施設の大型マルチディスプレイシステムに使用されてきた。近年では、ＬＥＤ表示素子の低コスト化と高精細化を背景に、画素ピッチが１ｍｍ以上２ｍｍ以下の高密度実装品にて構成されたＬＥＤ表示モジュールを配置した映像表示装置をタイル状に複数並べて構成したマルチディスプレイシステムが市場に導入されている。【０００５】
このようなＬＥＤ表示素子を高密度に実装した映像表示装置を配置したマルチディスプレイシステムにおいては、表示面の平面の均一性が映像品質に大きく影響する。そのため、ＬＥＤ表示モジュールの保持および固定方法が肝要である。例えば特許文献１には、映像表示装置の保持および固定方法が開示されている。
【先行技術文献】
【特許文献】
【０００６】
【特許文献１】特表２０１８−５０６７４８号公報
【発明の概要】
【発明が解決しようとする課題】
【０００７】
所定の大きさの表示面を有する表示体を複数並べて構成される映像表示装置においては、表示面間の前後方向の段差を抑えることが必要となる。【０００８】
特許文献１には、表示パネル（映像表示モジュールに相当）の保持方法および表示面の段差調整方法が開示されている。しかし、表示パネルとそれを保持する保持キャリア（筐体フレームに相当）との固定は磁石の吸着力に頼るのみであり、吸着力を上回る衝撃等の外力を受けた際に、表示パネルが保持キャリアから外れる可能性があった。【０００９】
そこで、本発明は、マルチディスプレイシステムにおいて、映像表示装置の表示面の段差を抑制し、かつ、映像表示モジュールが筐体フレームから外れることを抑制できる技術を提供することを目的とする。
【課題を解決するための手段】
【００１０】
本発明に係る映像表示装置は、表示素子が配置された映像表示モジュールと、前記映像表示モジュールが固定されるべき筐体フレームと、前記映像表示モジュールが前記筐体フレームに仮固定されている状態で、前記映像表示モジュールの前後方向の位置を調整する調整部と、前記筐体フレームに仮固定されている前記映像表示モジュールを前記筐体フレームに固定する固定部とを備え、前記調整部は、前記映像表示モジュール側に形成された非ねじ形状部と、前記筐体フレームに螺合されるねじ形状部と、前記非ねじ形状部における前記映像表示モジュール側の端部に配置されかつ回転方向に異なる複数の磁極を持つ第１磁石とを有する調整ねじを含み、前記固定部は前記映像表示モジュールに固定され、前記固定部は、前記調整ねじの前記非ねじ形状部が挿通する貫通孔と前記貫通孔の内径を小さくするように閉じることで前記非ねじ形状部が前記貫通孔に締め付けられるスリットとを有する円筒形状部と、前記スリットを閉じて前記調整ねじの前後方向の位置を固定する固定ねじとを含み、前記調整部は前記固定部と同軸上に配置されたものである。
【発明の効果】
【００１１】
本発明によれば、映像表示装置の表示面の段差を抑制し、かつ、映像表示モジュールが筐体フレームから外れることを抑制できる。【００１２】
この発明の目的、特徴、局面、および利点は、以下の詳細な説明と添付図面とによって、より明白となる。
【図面の簡単な説明】
【００１３】
【図１】実施の形態１に係るマルチディスプレイシステムの概略構成を示す斜視図である。
【図２】実施の形態１に係る映像表示装置の概略構成を示す斜視図である。
【図３】映像表示装置の背面側の構成を示す分解斜視図である。
【図４】映像表示装置が備える固定スリットカラーの構成を示す斜視図である。
【図５】固定スリットカラーが備える固定ねじの構成を示す斜視図である。
【図６】映像表示装置が備える調整部および固定部の構造を示す断面図である。
【図７】映像表示装置が備えるＬＥＤ表示モジュールにおける前後方向の位置の調整方法および固定方法を説明するための断面図である。
【図８】ＬＥＤ表示モジュールにおける前後方向の位置を調整および固定する際に作用する磁界を説明するための断面図である。
【図９】実施の形態２に係る映像表示装置が備える固定スリットカラーの構成を示す斜視図である。
【図１０】固定スリットカラーが備える固定ねじの構成を示す斜視図である。
【図１１】映像表示装置が備えるＬＥＤ表示モジュールにおける前後方向の位置の調整方法および固定方法を説明するための断面図である。
【図１２】映像表示装置が備える固定用ツールの固定ねじ磁石と固定ねじの固定用磁石によるマグネットカップリングの構成を示す図である。
【発明を実施するための形態】
【００１４】
＜実施の形態１＞
本発明の実施の形態１について、図面を用いて以下に説明する。図１は、実施の形態１に係るマルチディスプレイシステム２００の概略構成を示す斜視図である。
【００１５】
図１に示すように、マルチディスプレイシステム２００は、マトリックス状に配置された複数の画像表示用の映像表示装置１０１〜１０６を備えている。本実施の形態１において、映像表示装置１０１〜１０６を区別しないときは、映像表示装置１００と記載する。
【００１６】
図２は、映像表示装置１００の概略構成を示す斜視図である。図２に示すように、映像表示装置１００は４つの映像表示モジュールであるＬＥＤ表示モジュール１００１〜１００４と、筐体フレーム５とを備えている。筐体フレーム５は、ＬＥＤ表示モジュール１００１〜１００４を保持するフレームである。以下の説明において、ＬＥＤ表示モジュール１００１〜１００４を区別しないときは、ＬＥＤ表示モジュール１０００と記載する。ＬＥＤ表示モジュール１０００には、例えばＬＥＤ素子などの複数の発光素子が配置されている。
【００１７】
図３は、映像表示装置１００の背面側の構成を示す分解斜視図である。具体的には、１つのＬＥＤ表示モジュール１０００を筐体フレーム５から取り外した状態における映像表示装置１００の背面側の構成を示す斜視図である。
【００１８】
図３に示すように、映像表示装置１００は、ＬＥＤ表示モジュール１０００と、複数の固定スリットカラー１０と、複数の調整ねじ２０と、その他の機構部品を備えている。ＬＥＤ表示モジュール１０００は、表示素子であるＬＥＤ素子が配置されたＬＥＤ基板１と、それを保持するモールドベース２と、その他の機構部品とを備えている。
【００１９】
調整ねじ２０は、筐体フレーム５に予め装着され、ＬＥＤ表示モジュール１０００と筐体フレーム５とを仮固定する。この状態で、調整ねじ２０を回転させることで、調整ねじ２０に仮固定されたＬＥＤ表示モジュール１０００が前後方向に移動し、ＬＥＤ表示モジュール１０００の表示面における前後方向の位置が調整される。この調整によって、映像表示装置１００が備えるＬＥＤ表示モジュール１００１〜１００４の表示面間の前後方向の段差を抑制することが可能となる。ここで、調整ねじ２０は、ＬＥＤ表示モジュール１０００が筐体フレーム５に仮固定されている状態で、ＬＥＤ表示モジュール１０００の前後方向の位置を調整する調整部を構成している。
【００２０】
固定スリットカラー１０は、モールドベース２の背面に予め装着され、筐体フレーム５に仮固定されている状態のＬＥＤ表示モジュール１０００を筐体フレーム５に本固定し、さらに、調整ねじ２０により表示面の前後方向の位置調整がなされたＬＥＤ表示モジュール１０００も固定する。なお、固定スリットカラー１０に含まれる固定ねじ１１を正回転させることで、固定スリットカラー１０が調整ねじ２０を固定する。調整ねじ２０の回転軸と固定スリットカラー１０における調整ねじ２０の固定軸とは同軸上に配置されている。ここで、固定スリットカラー１０は、筐体フレーム５に仮固定されているＬＥＤ表示モジュール１０００を筐体フレーム５に固定する固定部を構成している。
【００２１】
図４は、固定スリットカラー１０の構成を示す斜視図である。固定スリットカラー１０は、円筒形状部１２と固定ねじ１１とを備えている。円筒形状部１２は、一部が延設方向に切断された形状である略円筒形状の部分と、その切断面に設けられたブロック形状の部分により構成される。ブロック形状の部分には、略円筒形状の部分の延設方向に対して平行方向に延びるスリット１７が形成されている。固定ねじ１１は、ブロック形状の部分にスリット１７を横切るように取り付けられている。
【００２２】
略円筒形状の部分の中央部には延設方向に延びる貫通孔１３が形成されている。貫通孔１３が調整ねじ２０と同軸となるように、固定スリットカラー１０はモールドベース２に予め装着されている。貫通孔１３の内径は調整ねじ２０の外径よりも微小に大きくなっており、そのため、調整ねじ２０は貫通孔１３内を円筒形状部１２の延設方向、すなわち、前後方向に摺動することが可能である。
【００２３】
略円筒形状の部分におけるブロック形状の部分との接続部分には、貫通孔１３の周壁の一部を除去するスリット１６が円筒形状部１２の延設方向に渡って形成されている。略円筒形状の部分に形成されたスリット１６は、ブロック形状の部分に形成されたスリット１７に連通している。固定スリットカラー１０が有する固定ねじ１１を正回転することでスリット１７が閉じ、これに伴って略円筒形状の部分のスリット１６も閉じることで貫通孔１３の内径も小さくなる。内径が小さくなった貫通孔１３が調整ねじ２０を締め付けることで、固定スリットカラー１０に調整ねじ２０が固定される。
【００２４】
固定スリットカラー１０における略円筒形状の部分の表面には、取り付け面１４が形成され、取り付け面１４はモールドベース２の裏面に予め当接されている。取り付け面１４がモールドベース２に当接された状態で、固定スリットカラー１０は、ねじ１５（図６参照）にてモールドベース２に固定されている。固定については、ねじ固定に限らず、接着または圧入などの方法を選択してもよい。
【００２５】
図５は、固定スリットカラー１０が備える固定ねじ１１の構成を示す斜視図である。図５に示すように、固定ねじ１１は、頭部１１１と、スリット１７を閉じるためのねじ部１１２と、第２磁石である固定ねじ磁石１１１ａとを備えている。固定ねじ磁石１１１ａは、頭部１１１の頂面に配置され、固定ねじ１１の回転方向に異なる複数の磁極を有する。
【００２６】
図６は、調整部および固定部の構造を示す断面図である。調整ねじ２０は、ＬＥＤ表示モジュール１０００側に形成された円柱形状の非ねじ形状部２１と、ねじ形状部２２と、第１磁石である調整ねじ磁石２４とを備えている。非ねじ形状部２１は、ねじ形状部２２よりもＬＥＤ表示モジュール１０００側に形成され、ＬＥＤ表示モジュール１０００側の端部は窪み形状となっている。調整ねじ磁石２４は、非ねじ形状部２１における窪み形状の部分に埋設されている。調整ねじ磁石２４は、磁性体からなるモールドベース２の裏面に当接しており、調整ねじ磁石２４の吸着力によってモールドベース２と調整ねじ２０とを仮固定させる。なお、モールドベース２は磁性体としたが、その他の方法として、非磁性体からなるモールドベース２と調整ねじ磁石２４との間に、モールドベース２に結合される磁性体からなる当接用部品を埋設する構造に変更してもよい。
【００２７】
ここで、調整ねじ磁石２４の磁力による吸着力は、１つのＬＥＤ表示モジュール１０００に使用する複数の調整ねじ２０でＬＥＤ表示モジュール１０００を筐体フレーム５の取り付け位置に留めることのできる強さ以上に設定されている。これにより、調整ねじ２０の調整ねじ磁石２４は、ＬＥＤ表示モジュール１０００と筐体フレーム５とを仮固定することが可能となる。また、調整ねじ磁石２４は１つまたは複数の磁石によって構成されている。
【００２８】
ねじ形状部２２は雄ねじ形状であり、筐体フレーム５のねじ孔５ａに螺合されている。非ねじ形状部２１は、固定スリットカラー１０の貫通孔１３と同軸上に配置されている。固定ねじ１１を正回転すると、貫通孔１３の内径が小さくなり非ねじ形状部２１が貫通孔１３の周壁に締め付けられ、固定スリットカラー１０に調整ねじ２０が固定される。これにより、ＬＥＤ表示モジュール１０００を筐体フレーム５に固定することが可能となる。
【００２９】
なお、非ねじ形状部２１は、多角柱等の非円柱形状としてもよい。固定スリットカラー１０が調整ねじ２０の非ねじ形状部２１を締め付けた状態で、非ねじ形状部２１が円柱形状の場合、調整ねじ２０の回転を抑える力が、非ねじ形状部２１と貫通孔１３の周壁との摩擦力のみとなってしまう。しかし、非ねじ形状部２１を多角形状とすることで、摩擦力に加え、非ねじ形状部２１の外形の角による引っ掛かりも加わり、調整ねじ２０の回転力を一層抑制することが可能となる。
【００３０】
このように、固定スリットカラー１０によってＬＥＤ表示モジュール１０００を筐体フレーム５に固定することで、たとえ地震などの予期せぬ大きな外力が、ＬＥＤ表示モジュール１０００を筐体フレーム５から引きはがす力として調整ねじ磁石２４の磁力による吸着力を超えた場合でも、ＬＥＤ表示モジュール１０００の位置ずれおよび固定が外れる等のリスクを抑えることが可能である。
【００３１】
さらに、固定スリットカラー１０が調整ねじ２０の回転を抑制することで、調整ねじ２０の筐体フレーム５に対する移動、すなわち、ＬＥＤ表示モジュール１０００の表示面の前後方向における移動を抑制することが可能となる。
【００３２】
次に、ＬＥＤ表示モジュール１０００における前後方向の位置の調整および固定方法について説明する。図７は、ＬＥＤ表示モジュール１０００における前後方向の位置の調整方法および固定方法を説明するための断面図である。
【００３３】
図７に示すように、磁性体からなるモールドベース２が調整ねじ磁石２４によって吸着されている状態、すなわち、ＬＥＤ表示モジュール１０００が筐体フレーム５に仮固定されている状態で、映像表示装置１００が備える調整用ツール９０を使用し、表示面側からＬＥＤ表示モジュール１０００の前後方向の位置を調整する。
【００３４】
調整用ツール９０は、調整ねじ２０の先端部に配置された調整ねじ磁石２４と同様の第３磁石である調整用磁石９２を有する。調整用磁石９２と調整ねじ磁石２４は対向することで、互いを吸着させる磁力が働き、第１マグネットカップリングを形成する。調整用磁石９２と調整ねじ磁石２４を吸着させた状態で、調整用磁石９２を調整用軸９１に対して回転させることで、調整ねじ磁石２４を有する調整ねじ２０に回転力が発生し、筐体フレーム５と螺合されているねじ形状部２２を基に調整ねじ２０が前後方向に移動する。これに伴い、調整ねじ２０と仮固定されたＬＥＤ表示モジュール１０００も前後方向に移動することで、ＬＥＤ表示モジュール１０００の表示面の前後方向の段差を調整することが可能となる。
【００３５】
このように、第１マグネットカップリングの形成により調整ねじ２０に回転力を発生させ、ＬＥＤ表示モジュール１０００の表示面側からのアクセスのみでの調整を可能としている。ここで、調整の感度は、ねじ形状部２２のねじピッチに依存する。
【００３６】
なお、調整用磁石９２と調整ねじ磁石２４とによる第１マグネットカップリングの磁力は、ねじ形状部２２を回転させることが可能な最低限の強さ以上の吸着力を発生させることが可能な磁力またはそれを超えるものとする。
【００３７】
次に、ＬＥＤ表示モジュール１０００の表示面の前後方向の位置を調整後、映像表示装置１００が備える固定用ツール８０を使用し、ＬＥＤ表示モジュール１０００を筐体フレーム５に本固定する。
【００３８】
固定用ツール８０の構造は、調整用ツール９０と類似した構造であり、第４磁石である固定用磁石８２を有する。固定用磁石８２は、固定ねじ磁石１１１と対向することで、互いを吸着させる磁力が働き、第２マグネットカップリングを形成する。固定用磁石８２が固定ねじ磁石１１１を吸着させた状態で、固定用磁石８２を固定ねじ１１の回転方向に回転させることで、固定ねじ１１に締め付け力が発生し、スリット１７を閉じ、貫通孔１３の内径を小さくする。これにより、調整ねじ２０の非ねじ形状部２１が貫通孔１３の周壁に締め付けられ、固定スリットカラー１０に調整ねじ２０が固定され、ＬＥＤ表示モジュール１０００が筐体フレーム５に本固定される。
【００３９】
また、貫通孔１３の周壁が調整ねじ２０の非ねじ形状部２１を締め付けることで、調整ねじ２０の回転が規制され、調整ねじ２０の筐体フレーム５に対する移動、すなわち、ＬＥＤ表示モジュール１０００の表示面の前後方向における移動を抑制できる。
【００４０】
ここで、固定用磁石８２と固定ねじ磁石１１１ａとによる第２マグネットカップリングの磁力は、固定用磁石８２を回転させ、スリット１７を閉じることが可能な強さ以上の吸着力を発生させることが可能な磁力とする。
【００４１】
図８は、ＬＥＤ表示モジュール１０００における前後方向の位置を調整および固定する際に作用する磁界を説明するための断面図である。
【００４２】
図８中の破線は、調整ねじ磁石２４と調整用磁石９２との間に発生する調整間磁界５０と、固定ねじ磁石１１１ａと固定用磁石８２との間に発生する固定間磁界５１を表している。
【００４３】
図８に示すように、固定ねじ１１は、調整ねじ２０の回転軸に対して傾斜角度をつけた傾斜軸となるように配置されている。固定ねじ１１の回転軸は、調整ねじ２０の回転軸に対して例えば３０度の傾斜をつけた傾斜軸である。各マグネットカップリング間には、各回転軸を中心に磁界が広がる。傾斜角度をつけることで、第２マグネットカップリングの磁界が第１マグネットカップリングの磁界に干渉しなくなり、固定用磁石８２による調整ねじ磁石２４への影響を軽減する。傾斜角度は、固定時に、第２マグネットカップリングの磁力が調整ねじ磁石２４へ干渉したり、調整ねじ２０が回転しないような角度および距離とし、選択する磁石によって角度および距離は変更される。
【００４４】
以上のように、実施の形態１に係る映像表示装置１００では、調整部は、ＬＥＤ表示モジュール１０００側に形成された非ねじ形状部２１と、筐体フレーム５に螺合されるねじ形状部２２と、非ねじ形状部２１におけるＬＥＤ表示モジュール１０００側の端部に配置されかつ回転方向に異なる複数の磁極を持つ調整ねじ磁石２４とを有する調整ねじ２０を含み、固定部はＬＥＤ表示モジュール１０００に固定され、固定部は、調整ねじ２０の非ねじ形状部２１が挿通する貫通孔１３と貫通孔１３の内径を小さくするように閉じることで非ねじ形状部２１が貫通孔１３に締め付けられるスリット１７とを有する円筒形状部１２と、スリット１７を閉じて調整ねじ２０の前後方向の位置を固定する固定ねじ１１とを含み、調整部は固定部と同軸上に配置された。
【００４５】
したがって、映像表示装置１００の表示面の段差を抑制し、かつ、ＬＥＤ表示モジュール１０００が筐体フレーム５から外れることを抑制できる。
【００４６】
また、ＬＥＤ表示モジュール１０００を交換した際にも調整部により再度調整することができる。調整部は固定部と同軸上に配置されたため、ＬＥＤ表示モジュール１０００の前後位置を調整した後、ＬＥＤ表示モジュール１０００を固定した場合に調整位置のずれが抑制されることで、ＬＥＤ表示モジュール１０００にたわみが生じることを抑制できる。
【００４７】
固定ねじ１１は、ねじ部１１２と、頭部１１１と、頭部１１１に配置されかつ固定ねじ１１の回転方向に異なる複数の磁極を持つ固定ねじ磁石１１１ａとを有し、固定ねじ１１は、固定ねじ１１の回転軸が調整ねじ２０の回転軸と同軸でなく、固定ねじ磁石１１１ａにより発生する磁力が調整ねじ磁石２４に影響しない距離となるように、調整ねじ２０の回転軸に対して傾斜角度をつけた傾斜軸となるように配置された。
【００４８】
したがって、ＬＥＤ表示モジュール１０００の固定時に、第２マグネットカップリングの磁力が調整ねじ磁石２４に干渉することで、誤って調整ねじ２０が回転することを抑制できる。
【００４９】
映像表示装置１００は調整用磁石９２を有する調整用ツール９０をさらに備え、調整ねじ２０は、調整ねじ磁石２４の磁力によりＬＥＤ表示モジュール１０００の背面に当接し、調整用ツール９０がＬＥＤ表示モジュール１０００の表示面に当接した状態で、調整用磁石９２の磁力により調整ねじ磁石２４が調整用磁石９２に吸着され、調整用磁石９２が回転することで調整ねじ２０が回転し、ＬＥＤ表示モジュール１０００と筐体フレーム５との間の距離が調整される。
【００５０】
したがって、調整用ツール９０を用いてＬＥＤ表示モジュール１０００の表示面側からＬＥＤ表示モジュール１０００と筐体フレーム５との間の距離を調整することができる。これにより、マルチディスプレイシステム２００の設置後に、マルチディスプレイシステム２００の背面側に人が入るためのメインテナンススペースを設ける必要がなくなるため、設置スペースを低減できる。
【００５１】
マルチディスプレイシステム２００は、固定用磁石８２を有する固定用ツール８０をさらに備え、固定部は、スリット１７を開いた状態で調整ねじ２０を仮固定し、固定用ツール８０がＬＥＤ表示モジュール１０００の表示面に当接した状態で、固定用磁石８２の磁力により固定ねじ１１の固定ねじ磁石１１１ａが固定用磁石８２に吸着され、固定用磁石８２が回転することで固定ねじ１１が回転し、スリット１７が閉じることで調整ねじ２０の前後方向の位置が固定される。
【００５２】
したがって、固定用ツール８０を用いてＬＥＤ表示モジュール１０００の表示面側から調整ねじ２０の前後方向の位置を固定することができる。これにより、マルチディスプレイシステム２００の設置後に、マルチディスプレイシステム２００の背面側に人が入るためのメインテナンススペースを設ける必要がなくなるため、設置スペースを低減できる。
【００５３】
＜実施の形態２＞
次に、実施の形態２に係るマルチディスプレイシステム２００について説明する。図９は、実施の形態２に係る映像表示装置１００が備える固定スリットカラー２１０の構成を示す斜視図である。図１０は、固定スリットカラー２１０が備える固定ねじ２１１の構成を示す斜視図である。図１１は、映像表示装置１００が備えるＬＥＤ表示モジュール１０００における前後方向の位置の調整方法および固定方法を説明するための断面図である。図１２は、映像表示装置１００が備える固定用ツール２８０の固定ねじ磁石２１６と固定ねじ２１５の固定用磁石２８２によるマグネットカップリングの構成を示す図である。なお、実施の形態２において、実施の形態１で説明したものと同一の構成要素については同一符号を付して説明は省略する。
【００５４】
図９に示すように、実施の形態２では、マルチディスプレイシステム２００は固定用ツール８０に代えて固定用ツール２８０を備え、映像表示装置１００は固定スリットカラー１０に代えて固定スリットカラー２１０を備えている。
【００５５】
固定スリットカラー２１０は、円筒形状部２１２と固定ねじ２１１とを備えている。円筒形状部２１２は、表面である当接面２１４から視て略Ω形状であり、２つの先端部の間にスリット２１５が形成されている。固定ねじ２１１は、一方の先端部の側面から他方の先端部の側面に向かってスリット２１５を横切るように取り付けられている。
【００５６】
円筒形状部２１２には延設方向に延びる貫通孔２１３が形成されている。貫通孔２１３が調整ねじ２０と同軸となるように、固定スリットカラー２１０はモールドベース２に予め装着されている。貫通孔２１３の内径は調整ねじ２０の外径よりも微小に大きくなっており、そのため、調整ねじ２０は貫通孔２１３内を円筒形状部２１２の延設方向、すなわち、前後方向に摺動することが可能である。
【００５７】
固定スリットカラー２１０が有する固定ねじ２１１を正回転することでスリット２１５が閉じ、貫通孔２１３の内径も小さくなる。内径が小さくなった貫通孔２１３が調整ねじ２０を締め付けることで、固定スリットカラー２１０に調整ねじ２０が固定される。
【００５８】
円筒形状部２１２の表面には、取り付け面２１４が形成され、取り付け面２１４はモールドベース２の裏面に予め当接されている。取り付け面２１４がモールドベース２に当接された状態で、固定スリットカラー２１０は、ねじ１５（図１１参照）にてモールドベース２に固定されている。固定については、ねじ固定に限らず、接着または圧入などの方法を選択してもよい。
【００５９】
図１０に示すように、固定ねじ２１１は、頭部１１１と、スリット２１５を閉じるためのねじ部２１７と、第６磁石である固定ねじ磁石２１６ａとを備えている。固定ねじ磁石２１６ａは、頭部２１６の側面に配置され、固定ねじ２１１の回転軸を中心とした螺旋状に異なる複数の磁極を有する。
【００６０】
次に、ＬＥＤ表示モジュール１０００における前後方向の位置の固定方法について説明する。図１１に示すように、ＬＥＤ表示モジュール１０００における前後方向の位置について、実施の形態１の場合と同様の方法で行った後、固定用ツール２８０を使用し、ＬＥＤ表示モジュール１０００を筐体フレーム５に本固定する。
【００６１】
固定用ツール２８０の構造は、調整用ツール９０と類似した構造であり、第５磁石である固定用磁石２８２を有する。固定用磁石２８２は、複数の磁極が配列された磁石であり、固定ねじ磁石２１６ａにより発生する磁力が調整ねじ磁石２４に影響しない距離となるように、固定用軸２８１の回転軸は固定ねじ２１１の回転軸と直交している。固定用磁石２８２と固定ねじ磁石２１６ａが持つ同じ磁極同士がそれぞれ引き合う。すなわち、固定用磁石２８２の複数の磁極とそれぞれ固定ねじ磁石２１６ａが持つ同じ磁極が次々に引き合うことで、第３マグネットカップリングを形成する。
【００６２】
また、図１２に示すように、固定ねじ磁石２１６ａは固定ねじ２１１の軸の円周上に螺旋状に配置されていることから、固定用磁石２８２によって固定ねじ磁石２１６ａは固定ねじ２１１の軸に対して螺旋状に引き寄せられる、すなわち、固定ねじ２１１が回転する動きとなる。固定ねじ２１１が正回転することで、固定ねじ２１１に締め付け力が発生し、スリット２１５を閉じ、貫通孔２１３の内径を小さくする。これにより、調整ねじ２０の非ねじ形状部２１が貫通孔２１３の周壁に締め付けられ、固定スリットカラー２１０に調整ねじ２０が固定され、ＬＥＤ表示モジュール１０００が筐体フレーム５に本固定される。
【００６３】
ここで、固定用磁石２８２と固定ねじ磁石２１６ａとによる第３マグネットカップリングの磁力は、固定ねじ磁石２１６ａを回転させ、スリット２１５を閉じることが可能な強さ以上の吸着力を発生させることが可能な磁力とする。
【００６４】
なお、実施の形態２では、調整用ツール９０と固定用ツール２８０を分割した構造としたが、必要に応じて両者を一体化した構造としてもよい。
【００６５】
以上のように、実施の形態２に係る映像表示装置１００は、固定用磁石２８２を有する固定用ツール２８０をさらに備え、固定ねじ２１１は、ねじ部２１７と、頭部２１６と、頭部２１６に配置されかつ固定ねじ２１１の回転軸を中心とした螺旋状に異なる複数の磁極を持つ固定ねじ磁石２１６ａとを有し、固定部は、固定ねじ磁石２１６ａにより発生する磁力が調整ねじ磁石２４に影響しない距離となるように、固定ねじ２１１の回転軸が調整ねじ２０の回転軸と直交するように配置され、固定部は、スリット２１５を開いた状態で調整ねじ２０を仮固定し、固定用ツール２８０がＬＥＤ表示モジュール１０００の表示面に当接した状態で、固定用磁石２８２の磁力により固定ねじ２１１の固定ねじ磁石２１６ａが固定用磁石２８２に吸着され、固定用磁石２８２が回転することで固定ねじ２１１が回転し、スリット２１５が閉じることで調整ねじ２０の前後方向の位置が固定される。
【００６６】
したがって、固定用ツール２８０を用いてＬＥＤ表示モジュール１０００の表示面側から調整ねじ２０の前後方向の位置を固定することができる。これにより、マルチディスプレイシステム２００の設置後に、マルチディスプレイシステム２００の背面側に人が入るためのメインテナンススペースを設ける必要がなくなるため、設置スペースを低減できる。
【００６７】
この発明は詳細に説明されたが、上記した説明は、すべての局面において、例示であって、この発明がそれに限定されるものではない。例示されていない無数の変形例が、この発明の範囲から外れることなく想定され得るものと解される。
【００６８】
なお、本発明は、その発明の範囲内において、各実施の形態を自由に組み合わせたり、各実施の形態を適宜、変形、省略することが可能である。
【符号の説明】
【００６９】
５  筐体フレーム、１１  固定ねじ、１２  円筒形状部、１７  スリット、２０  調整ねじ、２１  非ねじ形状部、２２  ねじ形状部、２４  調整ねじ磁石、８０  固定用ツール、８２  固定用磁石、９０  調整用ツール、９２  調整用磁石、１００〜１０６  映像表示装置、１１１  頭部、１１１ａ  固定ねじ磁石、１１２  ねじ部、２００  マルチディスプレイシステム、２１１  固定ねじ、２１２  円筒形状部、２１５  スリット、２１６  頭部、２１６ａ  固定ねじ磁石、２１７  ねじ部、２８０  固定用ツール、２８２  固定用磁石、１０００〜１００４  ＬＥＤ表示モジュール。
【要約】
マルチディスプレイシステムにおいて、映像表示装置の表示面の段差を抑制し、かつ、映像表示モジュールが筐体フレームから外れることを抑制することが可能な技術を提供することを目的とする。映像表示装置１００では、調整部は、ＬＥＤ表示モジュール１０００側に形成された非ねじ形状部２１と、筐体フレーム５に螺合されるねじ形状部２２と、非ねじ形状部２１におけるＬＥＤ表示モジュール１０００側の端部に配置されかつ回転方向に異なる複数の磁極を持つ調整ねじ磁石２４とを有する調整ねじ２０を含む。固定部は、調整ねじ２０の非ねじ形状部２１が挿通する貫通孔１３と貫通孔１３の内径を小さくするように閉じることで非ねじ形状部２１が貫通孔１３に締め付けられるスリット１７とを有する円筒形状部１２と、スリット１７を閉じて調整ねじ２０の前後方向の位置を固定する固定ねじ１１とを含む。調整部は固定部と同軸上に配置された。【図１】
0006580294.tif 000002
【図２】
0006580294.tif 000003
【図３】
0006580294.tif 000004
【図４】
0006580294.tif 000005
【図５】
0006580294.tif 000006
【図６】
0006580294.tif 000007
【図７】
0006580294.tif 000008
【図８】
0006580294.tif 000009
【図９】
0006580294.tif 000010
【図１０】
0006580294.tif 000011
【図１１】
0006580294.tif 000012
【図１２】
0006580294.tif 000013